(57)【特許請求の範囲】
【請求項１】
搬送部によって搬送される紙葉類を識別する識別部と、
前記搬送部によって搬送された紙葉類を集積するとともに、集積された紙葉類を外部から抜き取るための開口を有する複数の集積部と、
前記識別部の識別結果に基づいて前記集積部に紙葉類を集積させる制御を行う制御部と、
前記集積部から紙葉類が抜き取られたことを検知する検知センサと、を備え、
前記制御部は、前記検知センサからの情報に基づいて前記集積部から紙葉類が抜き取られたと判断すると、抜き取られた紙葉類又は当該紙葉類が集積されていた集積部に関する取出情報を出力し、
前記複数の集積部は、少なくとも２つの組に分類され、
前記制御部は、前記取出情報を組毎に分けて出力することを特徴とする紙葉類処理装置。
【請求項２】
前記取出情報は、抜き取られた紙葉類の分類に関する情報を含むことを特徴とする請求項１に記載の紙葉類処理装置。
【請求項３】
前記紙葉類の分類は、紙葉類の正損又は新旧であることを特徴とする請求項２に記載の紙葉類処理装置。
【請求項４】
前記取出情報は、紙葉類が抜き取られた集積部に関する情報を含むことを特徴とする請求項２又は３のいずれかに記載の紙葉類処理装置。
【請求項５】
前記制御部は、前記集積部に集積される紙葉類の分類を適宜変更して、各集積部に紙葉類を集積させる制御を行うことを特徴とする請求項１乃至４のいずれか１項に記載の紙葉類処理装置。
【請求項６】
前記制御部は、少なくとも前記検知センサからの情報を受けて、前記集積部に集積される紙葉類の分類を変更する制御を行うことを特徴とする請求項５に記載の紙葉類処理装置。
【請求項７】
前記制御部は、前記集積部に集積される紙葉類の分類を固定して、各集積部に紙葉類を集積させる制御を行うことを特徴とする請求項１乃至４のいずれか１項に記載の紙葉類処理装置。
【請求項８】
前記取出情報は、前記集積部から紙葉類が抜き取られた時間に関する情報を含むことを特徴とする請求項１乃至７のいずれか１項に記載の紙葉類処理装置。
【請求項９】
前記取出情報は、前記集積部から抜き取られた紙葉類の枚数に関する情報を含むことを特徴とする請求項１乃至８のいずれか１項に記載の紙葉類処理装置。
【請求項１０】
前記取出情報を表示する全体表示部をさらに備えたことを特徴とする請求項１乃至９のいずれか１項に記載の紙葉類処理装置。
【請求項１１】
前記集積部の各々に対応して設けられ、対応する集積部に関する取出情報を表示する個別表示部をさらに備えたことを特徴とする請求項１乃至１０のいずれか１項に記載の紙葉類処理装置。
【請求項１２】
紙葉類を１枚ずつ取り込む取込部をさらに備え、
前記搬送部は、前記取込部から取り込まれた紙葉類を搬送することを特徴とする請求項１乃至１１のいずれか１項に記載の紙葉類処理装置。
【請求項１３】
前記制御部は、各組に割り当てられた担当者に関する情報を出力する制御を行うことを特徴とする請求項１ないし１２のいずれか一項に記載の紙葉類処理装置。
【発明の詳細な説明】
【技術分野】
【０００１】
本発明は、集積された紙葉類を外部から抜き取ることができる複数の集積部を備えた紙葉類処理装置に関する。
【背景技術】
【０００２】
従来から、筐体と、筐体に設けられて紙葉類を載置するための載置部と、載置部から筐体内に取り込まれた紙葉類を搬送する搬送部と、搬送部によって搬送された紙葉類を分類ごとに集積するとともに、集積された紙葉類を外部から抜き取ることができる複数の集積部と、を備えた紙葉類処理装置が知られている（例えば、特許文献１参照）。
【０００３】
このような紙葉類処理装置において大量の紙葉類を連続処理する場合、各集積部がフルになったり所定枚数になったりした時点で集積処理は一度停止される。そして、紙葉類が集積部から抜き取られた後で、紙葉類の処理が再開される。なお、抜き取られた紙葉類は次工程に送られる。
【先行技術文献】
【特許文献】
【０００４】
【特許文献１】国際公開公報２００８／０９６４２９号
【発明の概要】
【発明が解決しようとする課題】
【０００５】
紙葉類を抜き取る作業を頻繁に行う場合には、集積部から抜き取った紙葉類の分類が何なのか、例えば抜き取った紙葉類が正券なのか損券なのか、また、新券なのか旧券なのかが、作業者に分からなくなってしまうことがある。
【０００６】
以上のような点に鑑み、本発明は、集積部から抜き取られた紙葉類の分類を作業者が把握することのできる紙葉類処理装置を提供する。
【課題を解決するための手段】
【０００７】
本発明による紙葉類処理装置は、
紙葉類を１枚ずつ取り込む取込部と、
前記取込部から取り込まれた紙葉類を搬送する搬送部と、
前記搬送部によって搬送される紙葉類を識別する識別部と、
前記搬送部によって搬送された紙葉類を集積するとともに、集積された紙葉類を外部から抜き取ることができる複数の集積部と、
前記識別部の識別結果に基づいて前記集積部に紙葉類を集積させる制御部と、
前記集積部から紙葉類が抜き取られたことを検知する検知センサと、を備え、
前記制御部が、前記検知センサからの情報を受けて前記集積部から紙葉類が抜き取られたと判断すると、抜き取られた紙葉類又は当該紙葉類が集積されていた集積部に関する取出情報を出力する。
【０００８】
本発明による紙葉類処理装置において、
前記取出情報は、抜き取られた紙葉類の分類に関する情報を含んでもよい。
【０００９】
本発明による紙葉類処理装置において、
前記紙葉類の分類は、紙葉類の正損又は新旧であってもよい。
【００１０】
本発明による紙葉類処理装置において、
前記取出情報は、紙葉類が抜き取られた集積部に関する情報を含んでもよい。
【００１１】
本発明による紙葉類処理装置において、
前記制御部は、前記集積部に集積される紙葉類の分類を適宜変更して、各集積部に紙葉類を集積させてもよい。
【００１２】
本発明による紙葉類処理装置において、
前記制御部は、少なくとも前記検知センサからの情報を受けて、前記集積部に集積される紙葉類の分類を変更してもよい。
【００１３】
本発明による紙葉類処理装置において、
前記制御部は、前記集積部に集積される紙葉類の分類を固定して、各集積部に紙葉類を集積させてもよい。
【００１４】
本発明による紙葉類処理装置において、
前記取出情報は、前記集積部から紙葉類が抜き取られた時間に関する情報を含んでもよい。
【００１５】
本発明による紙葉類処理装置において、
前記取出情報は、前記集積部から抜き取られた紙葉類の枚数に関する情報を含んでもよい。
【００１６】
本発明による紙葉類処理装置は、
前記取出情報を表示する全体表示部をさらに備えてもよい。
【００１７】
本発明による紙葉類処理装置は、
前記集積部の各々に対応して設けられ、対応する集積部に関する取出情報を表示する個別表示部をさらに備えてもよい。
【００１８】
本発明による紙葉類処理装置において、
前記複数の集積部は少なくとも２つ以上の組に分類され、
前記制御部は、前記取出情報を組毎に分けて出力してもよい。
【００１９】
本発明による紙葉類処理装置において、
前記制御部は、各組に割り当てられた担当者に関する情報を出力してもよい。
【発明の効果】
【００２０】
本発明によれば、制御部が、検知センサからの情報を受けて集積部から紙葉類が抜き取られたと判断すると、抜き取られた紙葉類又は当該紙葉類が集積されていた集積部に関する取出情報を出力する。このため、作業者は、集積部から抜き取られた紙葉類の分類を把握することができる。
【図面の簡単な説明】
【００２１】
【図１】図１は、本発明の第１の実施の形態による紙葉類処理装置の斜視図である。
【図２】図２は、本発明の第１の実施の形態による紙葉類処理装置の内部構成を示す側方断面図である。
【図３】図３は、本発明の第１の実施の形態による紙葉類処理装置の機能ブロック図である。
【図４】図４は、本発明の第１の実施の形態による紙葉類処理装置の第一全体表示部又は第二全体表示部の表示態様の一例を示した図である。
【図５】図５は、本発明の第１の実施の形態による紙葉類処理装置の第一全体表示部又は第二全体表示部の表示態様の別の例を示した図である。
【図６】図６は、本発明の第３の実施の形態による紙葉類処理装置の斜視図である。
【図７】図７は、本発明の第３の実施の形態による紙葉類処理装置の第一全体表示部及び第二全体表示部の表示態様の一例を示した図である。
【図８】図８は、本発明の第３の実施の形態による紙葉類処理装置の第一全体表示部及び第二全体表示部の表示態様の別の例を示した図である。
【発明を実施するための形態】
【００２２】
第１の実施の形態
《構成》
以下、本発明に係る紙葉類処理装置の第１の実施の形態について、図面を参照して説明する。ここで、図１乃至図５は本発明の第１の実施の形態を説明するための図である。ところで、本願における「紙葉類」とは、紙幣、小切手、商品券等のことを意味するが、代表的なものとしては紙幣を意味する。
【００２３】
図１に示すように、本実施の形態の紙葉類処理装置１００は、筐体１と、筐体１に設けられて複数の紙葉類を載置するための載置部１１と、載置部１１に載置された紙葉類を１枚ずつ取り込む取込部１０と、取込部１０から筐体１内に取り込まれた各紙葉類を搬送する搬送部７０（図２参照）と、搬送部７０によって搬送される紙葉類を識別する識別部２０（図２参照）と、搬送部７０によって搬送された紙葉類を集積するとともに、集積された紙葉類を外部から抜き取ることができる複数の集積部６０ａ−６０ｄと、集積部６０ａ−６０ｄに集積されない紙葉類をリジェクトするリジェクト部６１ａ，６１ｂと、を備えている。
【００２４】
なお、本実施の形態では、集積部６０ａ−６０ｄが、第一集積部６０ａ、当該第一集積部６０ａに隣接して設けられた第二集積部６０ｂ、当該第二集積部６０ｂに隣接して設けられた第三集積部６０ｃ及び当該第三集積部６０ｃに隣接して設けられた第四集積部６０ｄを有する態様を用いて説明するが、複数の集積部６０ａ−６０ｄがあればよく、当然、これに限られることはない。また、図１では、集積部６０ａ−６０ｄの正面側が開口している態様を示しているが、集積部６０ａ−６０ｄから紙葉類が取り出せるものであればよく、例えば、集積部６０ａ−６０ｄの正面に、開口を覆う開閉自在な扉や蓋が設けられていてもよい。ところで、各集積部６０ａ−６０ｄには、例えば５００枚の紙葉類を集積することができる。
【００２５】
図２に示すように、紙葉類処理装置は、識別部２０の識別結果に基づいて集積部６０ａ−６０ｄに紙葉類を集積させる制御部５０と、集積部６０ａ−６０ｄから紙葉類が抜き取られたことを検知する検知センサ２５ａ−２５ｄも備えている。なお、検知センサ２５ａ−２５ｄの各々は、集積部６０ａ−６０ｄの各々に対応して設けられている。
【００２６】
上述した取込部１０は、図２に示すように、載置部１１に設けられて最も下方に位置する紙葉類に駆動力を与えるキッカーローラ１６，１８と、キッカーローラ１６，１８によって駆動力の与えられた紙葉類を挟持して筐体１内に繰り出すゲート機構１２，１４とを有する。そして、このゲート機構１２，１４は、フィードローラ１２と、当該フィードローラ１２に対向して設けられたゲートローラ１４とを有する。
【００２７】
また、載置部１１には紙葉類が載置しているかを検出するための有無センサ８５が設けられ、搬送部７０には紙葉類が通過したことを検出するための複数の通過センサ８０ａ−８０ｌが設けられている。
【００２８】
また、搬送部７０には、搬送部７０で搬送される紙葉類を適宜分岐するための複数の分岐部材７１ａ−７１ｅが設けられている。
【００２９】
また、図１に示すように、筐体１には、作業者が所定の情報を入力することができる操作部４０が設けられている。
【００３０】
本実施の形態の制御部５０は、検知センサ２５ａ−２５ｄからの情報を受けて集積部６０ａ−６０ｄから紙葉類が抜き取られたと判断すると、抜き取られた紙葉類又は抜き取られた紙葉類が集積されていた集積部６０ａ−６０ｄに関する取出情報を出力部に出力する。抜き取られた紙葉類に関する取出情報とは、例えば、抜き取られた紙葉類の正損、新旧等の紙葉類の分類に関する情報や集積部６０ａ−６０ｄから抜き取られた紙葉類の枚数に関する情報等である。抜き取られた紙葉類が集積されていた集積部６０ａ−６０ｄに関する取出情報とは、例えば、紙葉類がどの集積部６０ａ−６０ｄから抜き取られたかを示す情報や集積部６０ａ−６０ｄから紙葉類が抜き取られた時間に関する情報等である。取出情報を画像表示として出力する場合は、出力部は後述する全体表示部３０や個別表示部３１ａ−３１ｄとすることができる。
【００３１】
なお、上述したような取出情報は、制御部５０に接続された記憶部５５（図３参照）で記憶される。
【００３２】
図１に示すように、筐体１には、取出情報を表示する出力部として例えばＬＣＤ（Liquid Crystal Display）からなる全体表示部３０が設けられている。本実施の形態の全体表示部３０は、第一全体表示部３０ａと、当該第一全体表示部３０ａに隣接して設けられた第二全体表示部３０ｂとを有し、これら第一全体表示部３０ａ及び第二全体表示部３０ｂの両方がＬＣＤとなっている。
【００３３】
本実施の形態の全体表示部３０は、抜き取られた紙葉類に関する取出情報と、当該紙葉類が集積されていた集積部６０ａ−６０ｄに関する取出情報の両方を表示する。一例として、全体表示部３０は、時系列で、抜き取り時間、抜き取り箇所、正損情報、枚数等を表示する（図４参照）。なお、このような情報は、第一全体表示部３０ａだけに表示されてもよいし、第二全体表示部３０ｂだけに表示されてもよいし、第一全体表示部３０ａと第二全体表示部３０ｂの両者を用いて表示されてもよい。
【００３４】
図４では、第一全体表示部３０ａ又は第二全体表示部３０ｂに、時系列で、左から順番に、抜き取り時間、抜き取り箇所、正損情報及び枚数が表示された態様を示している。
【００３５】
ところで、図４における「ＳＴＫ」とは集積部（スタッカ）６０ａ−６０ｄのことを意味し、「ＳＴＫ１」は第一集積部６０ａ、「ＳＴＫ２」は第二集積部６０ｂ、「ＳＴＫ３」は第三集積部６０ｃ、「ＳＴＫ４」は第四集積部６０ｄを示している。なお、図４に示した態様では、紙葉類が紙幣であることを前提としており、図４における「ＡＴＭ」は、銀行等の金融機関に設けられたＡＴＭで出金用紙幣として利用することができる紙幣のことを意味し、「ＴＬＲ」は、ＡＴＭで利用することはできないが銀行等の金融機関の受付では出金用紙幣として利用することができる紙幣のことを意味し、「ＵＮＦＩＴ」は、ＡＴＭでも銀行等の金融機関の受付でも出金用紙幣として利用できない紙幣のことを意味している。
【００３６】
なお、ＡＴＭで出金用紙幣として利用することができる紙幣とＡＴＭで利用することはできないが銀行等の金融機関の受付では出金用紙幣として利用することができる紙幣はいわゆる「正券」であり、ＡＴＭでも銀行等の金融機関の受付でも出金用紙幣として利用できない紙幣はいわゆる「損券」である。つまり、本実施の形態では、正損情報を３つのレベルで判定して表示している。
【００３７】
また、図１に示すように、筐体１には、集積部６０ａ−６０ｄの各々に対応した位置に例えばＬＥＤ（Light Emitting Diode）からなる個別表示部３１ａ−３１ｄが設けられている。そして、この個別表示部３１ａ−３１ｄは、対応する集積部６０ａ−６０ｄに関する取出情報を表示する。すなわち、第一個別表示部３１ａは第一集積部６０ａに対応し、当該第一個別表示部３１ａは第一集積部６０ａに関する取出情報を表示する。同様に、第二個別表示部３１ｂは第二集積部６０ｂに対応し、当該第二個別表示部３１ｂは第二集積部６０ｂに関する取出情報を表示し、第三個別表示部３１ｃは第三集積部６０ｃに対応し、当該第三個別表示部３１ｃは第三集積部６０ｃに関する取出情報を表示し、第四個別表示部３１ｄは第四集積部６０ｄに対応し、当該第四個別表示部３１ｄは第四集積部６０ｄに関する取出情報を表示する。
【００３８】
個別表示部３１ａ−３１ｄは、対応する集積部６０ａ−６０ｄから紙葉類が抜き取られた場合に、一定時間の間、「・・・」（ドット）を表示する、又は、通常時と異なる色で点灯する等して、紙葉類が抜き取られた集積部６０ａ−６０ｄを作業者に示すようになっている。なお、この個別表示部３１ａ−３１ｄは、紙葉類を計数している際には計数した紙葉類の枚数を表示し、紙葉類の計数が終了して紙葉類が抜き取られるのを待っている間には計数済みの枚数を点滅表示するようになってもよい。
【００３９】
ところで、本実施の形態では、全体表示部３０及び個別表示部３１ａ−３１ｄの両方に取出情報が表示される態様を用いて説明するが、これに限られることはない。例えば、全体表示部３０だけに取出情報が表示されてもよいし、個別表示部３１ａ−３１ｄだけに取出情報が表示されてもよい。また、紙葉類処理装置１００に接続されたパソコン等の外部装置に取出情報が表示され、紙葉類処理装置１００では取出情報が表示されなくてもよい。
【００４０】
ところで、本実施の形態の制御部５０は、集積部６０ａ−６０ｄに集積される紙葉類の分類を適宜変更して、各集積部６０ａ−６０ｄに紙葉類を集積させる。また、制御部５０は、検知センサ２５ａ−２５ｄからの情報を受けて、集積部６０ａ−６０ｄに集積される紙葉類の分類を変更する。例えば、制御部５０が検知センサ２５ａ−２５ｄからの情報を受けて集積部６０ａ−６０ｄから紙葉類が抜き取られたと判断すると、当該集積部６０ａ−６０ｄに集積される紙葉類の分類を、次に最初に読み取った紙葉類の分類に変更する（なお、当該集積部６０ａ−６０ｄに集積されていた紙葉類の分類と、次に最初に読み取った紙葉類の分類が同じ分類である場合には、当該集積部６０ａ−６０ｄに集積される紙葉類の分類は変更されない。）。
【００４１】
《作用・効果》
次に、上述した構成からなる本実施の形態による作用・効果について説明する。
【００４２】
本実施の形態によれば、制御部５０が、検知センサ２５ａ−２５ｄからの情報を受けて集積部６０ａ−６０ｄから紙葉類が抜き取られたと判断すると、抜き取られた紙葉類又は当該紙葉類が集積されていた集積部６０ａ−６０ｄに関する取出情報を出力する。そして、当該取出情報が全体表示部３０及び個別表示部３１ａ−３１ｄで表示される。このため、作業者は、集積部６０ａ−６０ｄから抜き取られた紙葉類の分類を確実に把握することができる。
【００４３】
すなわち、従来の紙葉類処理装置において大量の紙葉類を連続処理する場合には、各集積部６０ａ−６０ｄがフルになったり所定枚数になったりした時点で集積処理は一度停止され、紙葉類が集積部６０ａ−６０ｄから抜き取られた後で紙葉類の処理が再開されていた（なお、抜き取られた紙葉類は輪ゴムで巻く等され、紙葉類の分類別に保管される。）。紙葉類を抜き取る作業を頻繁に行う場合には、集積部６０ａ−６０ｄから抜き取った紙葉類の分類が何なのか、例えば抜き取った紙葉類が正券なのか損券なのか、また、新券なのか旧券なのかが、作業者に分からなくなってしまい、間違った箇所に紙葉類が保管されることがあった。
【００４４】
これに対して、本実施の形態によれば、取出情報が出力され、当該取出情報を作業者は確認することができるので、紙葉類を抜き取る作業を頻繁に行う場合であっても、集積部６０ａ−６０ｄから抜き取った紙葉類の分類が何なのかを、作業者は把握することができる。このため、紙葉類を正確な分類別に保管することができる。
【００４５】
なお、取出情報として紙葉類の正損が出力される態様では、作業者は、出力された情報に基づいて、紙葉類を正損分類することができる。なお、紙葉類が紙幣である場合における「正損分類」とは、ＡＴＭで利用することができる紙幣と、ＡＴＭで利用することはできないが銀行等の金融機関の受付では利用することができる紙幣と、ＡＴＭで利用できず、かつ、銀行等の金融機関の受付でも利用できない紙幣を分類することを意味している。
【００４６】
また、取出情報として紙葉類の新旧が出力される態様では、作業者は、出力された情報に基づいて、紙葉類を新旧分類することができる。なお、紙葉類が紙幣である場合における「新旧分類」とは、新券である紙幣と旧券である紙幣を分類することを意味する。
【００４７】
ところで、取出情報が抜き取られた紙葉類の分類に関する情報を含む態様では、作業者は抜き取った紙葉類の分類を例えば全体表示部３０で確認することができるので、作業者は自分が手にしている紙葉類の分類を確実に把握することができる。このため、作業者は紙葉類を正確な分類別で確実に保管することができる。
【００４８】
また、取出情報が紙葉類の抜き取られた集積部６０ａ−６０ｄに関する情報を含む態様では、作業者はどの集積部６０ａ−６０ｄから紙葉類を抜き取ったことを例えば全体表示部３０又は個別表示部３１ａ−３１ｄで確認することができる。このため、作業者は自分が手にしている紙葉類をどの集積部６０ａ−６０ｄから抜き取ったかを確実に把握することができ、例え当該紙葉類の分類を忘れてしまったとしても、作業者は当該紙葉類の分類が何であったかを思い出しやすくなる。ところで、集積部６０ａ−６０ｄと紙葉類の分類が関連付けされ、集積部６０ａ−６０ｄに集積されていた紙葉類の分類が表示される態様によれば、自分が手にしている紙葉類の分類を確実に認識することができる。このため、作業者は、紙葉類を正確な分類別で確実に保管することができ、好ましい。
【００４９】
また、取出情報が集積部６０ａ−６０ｄから紙葉類が抜き取られた時間に関する情報を含む態様では、作業者は、いつ集積部６０ａ−６０ｄから紙葉類を抜き取ったかを例えば全体表示部３０で確認することができる。このため、作業者は自分が手にしている紙葉類をいつ集積部６０ａ−６０ｄから抜き取ったかを確実に把握することができ、例え当該紙葉類の分類を忘れてしまったとしても、作業者は当該紙葉類の分類が何であったかを思い出しやすくなる。ところで、集積部６０ａ−６０ｄから紙葉類が抜き取られた時間と紙葉類の分類が関連付けされ、集積部６０ａ−６０ｄから紙葉類が抜き取られた時間に加えてその紙葉類の分類が表示される態様によれば、自分が手にしている紙葉類の分類を確実に認識することができる。このため、作業者は、紙葉類を正確な分類別により確実に保管することができ、好ましい。
【００５０】
また、取出情報が集積部６０ａ−６０ｄから抜き取られた紙葉類の枚数に関する情報を含む態様では、作業者は、何枚の紙葉類を集積部６０ａ−６０ｄから抜き取ったか、例えば全体表示部３０で確認することができる。
【００５１】
ところで、図４に示した態様によれば、第一全体表示部３０ａ又は第二全体表示部３０ｂに、抜き取り時間（左から１番目の列）、抜き取り箇所（左から２番目の列）、正損情報（左から３番目の列）及び枚数（左から４番目の列）の各々が表示される。
【００５２】
このため、作業者は、どの集積部６０ａ−６０ｄから何枚の紙葉類を何時に抜き取ったか、しかも、その紙葉類の損券分類が何であったかを第一全体表示部３０ａ又は第二全体表示部３０ｂで確認することができる。このため、作業者は、自分が手にしている紙葉類を正確な分類別に従って確実に保管することができる。
【００５３】
なお、図５に示すように、第一全体表示部３０ａ又は第二全体表示部３０ｂは、これら抜き取り時間、抜き取り箇所、正損情報及び枚数に加えて、紙葉類の新旧を表示してもよい（左から４番目の列）。このような場合には、作業者は、紙葉類の新旧分類も確実に行うことができる。また、紙葉類の新旧分類のみを行う場合には、図４の正損情報の代わりに紙葉類の新旧が表示されるような態様であってもよい。
【００５４】
また、本実施の形態では、全体表示部３０での表示に加えて、個別表示部３１ａ−３１ｄが、対応する集積部６０ａ−６０ｄから紙葉類が抜き取られた場合に、一定時間の間、「・・・」を表示する、又は、通常時と異なる色で点灯する等して、紙葉類が抜き取られた集積部６０ａ−６０ｄを作業者に示すようになっている。このため、作業者は、どの集積部６０ａ−６０ｄから紙葉類を抜き取ったかを一目で確認することができ、作業効率を上げることができる。ところで、集積部６０ａ−６０ｄと紙葉類の分類が関連付けされ、全体表示部３０で集積部６０ａ−６０ｄに集積されていた紙葉類の分類が表示される態様によれば、自分が手にしている紙葉類の分類を確実に認識することができ、好ましい。
【００５５】
また、本実施の形態では、集積部６０ａ−６０ｄに集積される紙葉類の分類を適宜変更して、各集積部６０ａ−６０ｄに紙葉類を集積させることができる。このため、状況に応じて、集積部６０ａ−６０ｄに集積される紙葉類の分類を柔軟に変更することができる。
【００５６】
さらに、本実施の形態では、集積部６０ａ−６０ｄから紙葉類が抜き取られたことを検知する検知センサ２５ａ−２５ｄからの情報を受けて、集積部６０ａ−６０ｄに集積される紙葉類の分類が変更される。このため、集積部６０ａ−６０ｄから紙葉類が抜き取られると、自動的に紙葉類の分類を適宜変更することができ、集積部６０ａ−６０ｄの利用効率を高めることができる。
【００５７】
第２の実施の形態
次に、本発明の第２の実施の形態について説明する。
【００５８】
第１の実施の形態では、制御部５０が、集積部６０ａ−６０ｄに集積される紙葉類の分類を適宜変更して、各集積部６０ａ−６０ｄに紙葉類を集積させる態様であったが、第２の実施の形態では、制御部５０が、集積部６０ａ−６０ｄに集積される紙葉類の分類を固定して、各集積部６０ａ−６０ｄに紙葉類を集積させる。
【００５９】
第２の実施の形態において、その他の構成は、第１の実施の形態と略同一の態様となっている。第２の実施の形態において、第１の実施の形態と同一部分には同一符号を付して詳細な説明は省略する。
【００６０】
本実施の形態でも、第１の実施の形態と同様の効果を奏することができる。第１の実施の形態で詳細に説明したことから、本実施の形態における効果の説明は、特に重要な部分に留める。
【００６１】
本実施の形態でも制御部５０が、検知センサ２５ａ−２５ｄからの情報を受けて集積部６０ａ−６０ｄから紙葉類が抜き取られたと判断すると、抜き取られた紙葉類又は当該紙葉類が集積されていた集積部６０ａ−６０ｄに関する取出情報を出力し、当該取出情報が全体表示部３０及び個別表示部３１ａ−３１ｄで表示される。このため、作業者は、集積部６０ａ−６０ｄから抜き取られた紙葉類の分類（例えば正損分類や新旧分類等）を確実に把握することができる。
【００６２】
特に、取出情報が抜き取られた紙葉類の分類に関する情報を含む態様では、作業者は抜き取った紙葉類の分類を例えば全体表示部３０で確認することができるので、作業者は自分が手にしている紙葉類の分類を確実に把握することができる。このため、紙葉類を正確な分類別で確実に保管することができる。
【００６３】
また、取出情報が紙葉類の抜き取られた集積部６０ａ−６０ｄに関する情報を含む態様では、作業者はどの集積部６０ａ−６０ｄから紙葉類を抜き取ったことを例えば全体表示部３０又は個別表示部３１ａ−３１ｄで確認することができる。そして、本実施の形態では、集積部６０ａ−６０ｄに集積される紙葉類の分類が固定されているので、どの集積部６０ａ−６０ｄから紙葉類を抜き取ったかを把握できれば、作業者は、自分が手にしている紙葉類の分類を確実に把握することができ、紙葉類を正確な分類別で確実に保管することができる。ところで、集積部６０ａ−６０ｄに集積されていた紙葉類の分類が表示される態様によれば、作業者は自分が手にしている紙葉類の分類をより確実に把握することができ、好ましい。
【００６４】
また、取出情報が集積部６０ａ−６０ｄから紙葉類が抜き取られた時間に関する情報を含む態様では、作業者は、いつ集積部６０ａ−６０ｄから紙葉類を抜き取ったかを例えば全体表示部３０で確認することができる。このため、作業者は自分が手にしている紙葉類をいつ集積部６０ａ−６０ｄから抜き取ったかを確実に把握することができ、例え当該紙葉類の分類を忘れてしまったとしても、作業者は当該紙葉類の分類が何であったかを思い出しやすくなる。ところで、集積部６０ａ−６０ｄから紙葉類が抜き取られた時間と紙葉類の分類が関連付けされ、集積部６０ａ−６０ｄから紙葉類が抜き取られた時間に加えてその紙葉類の分類が表示される態様によれば、自分が手にしている紙葉類の分類を確実に認識することができ、好ましい。
【００６５】
また、取出情報が集積部６０ａ−６０ｄから抜き取られた紙葉類の枚数に関する情報を含む態様では、作業者は、何枚の紙葉類を集積部６０ａ−６０ｄから抜き取ったか、例えば全体表示部３０で確認することができる。
【００６６】
また、本実施の形態では、個別表示部３１ａ−３１ｄが、対応する集積部６０ａ−６０ｄから紙葉類が抜き取られた場合に、一定時間の間、「・・・」を表示する、又は、通常時と異なる色で点灯する等して、紙葉類が抜き取られた積部６０ａ−６０ｄを作業者に示すようになっている。そして、本実施の形態では、集積部６０ａ−６０ｄに集積される紙葉類の分類が固定されているので、このようにどの集積部６０ａ−６０ｄから紙葉類を抜き取ったかを把握できれば、作業者は、自分が手にしている紙葉類の分類を確実に把握することができる。なお、このように個別表示部３１ａ−３１ｄで表示することによって、作業者はどの集積部６０ａ−６０ｄから紙葉類を抜き取ったかを一目で確認することができ、作業効率を上げることもできる。
【００６７】
第３の実施の形態
次に、図６、図７及び図８を用いて、本発明の第３の実施の形態について説明する。
【００６８】
第１の実施の形態では、４つの集積部６０ａ−６０ｄが設けられた態様であったが、本実施の形態では、８つの集積部６０ａ−６０ｈが設けられた態様となっている。なお、既に述べたように集積部６０ａ−６０ｄの数は任意であるが、説明をするための便宜上、第１の実施の形態では４つの集積部６０ａ−６０ｄが設けられた態様を用いており、第３の実施の形態では８つの集積部６０ａ−６０ｈが設けられた態様を用いている。
【００６９】
本実施の形態では、８つの集積部６０ａ−６０ｈが２つの組に分類され、制御部５０が、取出情報を組毎に分けて出力するとともに、各組に割り当てられた担当者に関する情報を出力するようになっている。より具体的には、本実施の形態の８つの集積部６０ａ−６０ｈは、図６の左側から４つの集積部６０ａ−６０ｄの組と、図６の右側から４つの集積部６０ｅ−６０ｈの組の２つの組に分類される。そして、制御部５０は、左側から４つの集積部６０ａ−６０ｄに関する取出情報と、右側から４つの集積部６０ｅ−６０ｈに関する取出情報とを分けて出力し、かつ、左側から４つの集積部６０ａ−６０ｄを担当する担当者Ａに関する情報と、右側から４つの集積部６０ｅ−６０ｈを担当する担当者Ｂに関する情報を出力する。なお、８つの集積部６０ａ−６０ｈの各々には、対応した個別表示部３１ａ−３１ｈが設けられている。
【００７０】
なお、本実施の形態では、２つの組に分けた態様を用いて説明しているが、これに限られることは当然なく、３つ以上の集積部を３つ以上の組に分けた態様も用いることができる。
【００７１】
また、第１の実施の形態の図４に示す態様では、第一全体表示部３０ａ又は第二全体表示部３０ｂに、抜き取り時間、抜き取り箇所、正損情報及び枚数の各々が表示される態様であった。また、第１の実施の形態の図５に示す態様では、第一全体表示部３０ａ又は第二全体表示部３０ｂに、抜き取り時間、抜き取り箇所、正損情報、新旧情報及び枚数の各々が表示される態様であった。
【００７２】
これに対して、第３の実施の形態の図７に示す態様では、第一全体表示部３０ａに、Ａが担当している旨（図７の「担当Ａ」）と、担当者Ａについての抜き取り時間、抜き取り箇所、正損情報及び枚数の各々が表示される。また、第二全体表示部３０ｂに、Ｂが担当している旨（図７の「担当Ｂ」）と、担当者Ｂについての抜き取り時間、抜き取り箇所、正損情報及び枚数の各々が表示される。
【００７３】
また、第３の実施の形態の図８に示す態様では、第一全体表示部３０ａに、Ａが担当している旨（図８の「担当Ａ」）と、担当者Ａについての抜き取り時間、抜き取り箇所、正損情報、新旧情報及び枚数の各々が表示される。また、第二全体表示部３０ｂに、Ｂが担当している旨（図８の「担当Ｂ」）と、担当者Ｂについての抜き取り時間、抜き取り箇所、正損情報、新旧情報及び枚数の各々が表示される。
【００７４】
ところで、上記では、第一全体表示部３０ａに担当者Ａについての取出情報が表示され、第二全体表示部３０ｂに担当者Ｂについての取出情報が表示される態様を用いる旨述べたが、これに限られることはなく、第一全体表示部３０ａだけに担当者Ａ及び担当者Ｂについての取出情報が表示されたり、第二全体表示部３０ｂだけに担当者Ａ及び担当者Ｂについての取出情報が表示されたりする態様であってもよい。また、紙葉類処理装置１００に接続されたパソコン等の外部装置に取出情報が表示され、紙葉類処理装置１００では取出情報が表示されなくてもよい。
【００７５】
第３の実施の形態において、その他の構成は、第１の実施の形態と略同一の態様となっている。第３の実施の形態において、第１の実施の形態と同一部分には同一符号を付して詳細な説明は省略する。
【００７６】
本実施の形態によれば、制御部５０が左側から４つの集積部６０ａ−６０ｄに関する取出情報を出力して当該取出情報が第一全体表示部３０ａに表示され、制御部５０が右側から４つの集積部６０ｅ−６０ｈに関する取出情報を出力して当該取出情報が第二全体表示部３０ｂに表示される。このため、二人の作業者が一つの紙葉類処理装置１００を用いて紙葉類の分類を行う場合であっても、各作業者は、自己が集積部６０ａ−６０ｈから取り出した紙葉類に関する取出情報を明確に把握することができる。
【００７７】
特に、本実施の形態では、第一全体表示部３０ａに、Ａが担当している旨（図６の「担当Ａ」）が表示され、第二全体表示部３０ｂに、Ｂが担当している旨（図６の「担当Ｂ」）が表示されるので、各担当者は、自己が集積部６０ａ−６０ｈから取り出した紙葉類に関する取出情報を確実に把握することができる。
【００７８】
ところで、第３の実施の形態の態様を、第２の実施の形態に用いることも当然できる。すなわち、第３の実施の形態の制御部５０は、第１の実施の形態のように、集積部６０ａ−６０ｄに集積される紙葉類の分類を適宜変更して、各集積部６０ａ−６０ｄに紙葉類を集積させるだけではなく、第２の実施の形態のように、集積部６０ａ−６０ｄに集積される紙葉類の分類を固定して、各集積部６０ａ−６０ｄに紙葉類を集積させることもできる。
【００７９】
なお、本実施の形態では、上述した効果に加えて第１の実施の形態及び第２の実施の形態と同様の効果を奏することができる。但し、記載が重複することとなるので、本実施の形態では、これらの効果の説明については省略する。
【００８０】
ところで、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００８１】
１          筐体
１０        取込部
２０        識別部
２５ａ−２５ｄ  検知センサ
３０        全体表示部
３０ａ      第一全体表示部
３０ｂ      第二全体表示部
３１ａ−３１ｈ  個別表示部
５０        制御部
６０ａ−６０ｈ  集積部
７０        搬送部
１００      紙葉類処理装置
【図１】
0005996284.tif 000002
【図２】
0005996284.tif 000003
【図３】
0005996284.tif 000004
【図４】
0005996284.tif 000005
【図５】
0005996284.tif 000006
【図６】
0005996284.tif 000007
【図７】
0005996284.tif 000008
【図８】
0005996284.tif 000009